(57)【特許請求の範囲】
【請求項１】
通電時には夫々の鉄芯に吸着力を付与されている二つの電磁石と、シャッタ地板に回転可能に取り付けられておりレリーズ時に前記各電磁石への通電が断たれたとき夫々の駆動ばねの付勢力による露光作動開始位置からの作動によって先羽根群及び後羽根群に露光走行を行わせると共に少なくとも一方には前記シャッタ地板側に摺接面が形成されている先羽根用駆動部材及び後羽根用駆動部材と、前記各駆動部材に相対位置関係を変え得るようにして取り付けられ前記各鉄芯に吸着されているとき前記各駆動部材が前記露光作動開始位置に保持され得るようにした二つの鉄片部材と、前記各駆動部材と前記各鉄片部材の間に介在しセット時には前記各鉄片部材が前記各鉄芯に接触してから緊張されレリーズ時には前記駆動ばねの付勢力と共に自己の付勢力によって前記各駆動部材をセット位置から前記露光作動開始位置まで作動させる二つのばねと、前記シャッタ地板に回転可能に取り付けられておりセット時には初期位置から始動し前記各鉄片部材が前記各鉄芯に接触した後も前記各駆動ばねを緊張させて前記各駆動部材をセット位置へ作動させレリーズ時には初期位置への復帰過程において前記各駆動部材に前記露光作動開始位置への作動を可能にするセット部材と、弾性を有する少なくとも一つの腕部と該腕部の先端の前記摺接面側に設けられた摺接部とを有していて前記シャッタ地板に回転可能に取り付けられておりセット時においてはばねの付勢力により前記セット部材の作動に追従して該摺接部が前記摺接面に接触し得る所定の位置まで回転しレリーズ時においては前記駆動部材が露光作動開始位置に達するまでは該所定の位置で該摺接部が該摺接面に接触して該腕部の弾性によって該駆動部材の作動を制動しその後は該ばねの付勢力に抗して前記セット部材によって回転され前記摺接面に対する該摺接部の接触を解かれる制動部材とを備えていることを特徴とするカメラ用フォーカルプレンシャッタ。
【請求項２】
通電時には夫々の鉄芯に吸着力を付与されている二つの電磁石と、シャッタ地板に回転可能に取り付けられておりレリーズ時に前記各電磁石への通電が断たれたとき夫々の駆動ばねの付勢力による露光作動開始位置からの作動によって先羽根群及び後羽根群に露光走行を行わせると共に少なくとも一方には前記シャッタ地板側に摺接面が形成されている先羽根用駆動部材及び後羽根用駆動部材と、前記各駆動部材に相対位置関係を変え得るようにして取り付けられ前記各鉄芯に吸着されているとき前記各駆動部材が前記露光作動開始位置に保持され得るようにした二つの鉄片部材と、前記各駆動部材と前記各鉄片部材の間に介在しセット時には前記各鉄片部材が前記各鉄芯に接触してから緊張されレリーズ時には前記駆動ばねの付勢力と共に自己の付勢力によって前記各駆動部材をセット位置から前記露光作動開始位置まで作動させる二つのばねと、前記シャッタ地板に回転可能に取り付けられていてその回転方向に沿って斜面を有する突起部が設けられておりセット時には初期位置から始動し前記各鉄片部材が前記各鉄芯に接触した後も前記各駆動ばねを緊張させて前記各駆動部材をセット位置へ作動させレリーズ時には初期位置への復帰過程において前記各駆動部材に前記露光作動開始位置への作動を可能にするセット部材と、前記シャッタ地板に一体成形によって形成されていて弾性を有する少なくとも一つの腕部と該腕部の先端の前記摺接面側に設けられた摺接部とを有しておりセット時においては自己の弾性により前記セット部材の作動に追従して前記摺接部が前記摺接面に接触し得る所定の位置まで前記シャッタ地板から離れる方向へ移動しレリーズ時においては前記駆動部材が露光作動開始位置に達するまでは該所定の位置で前記摺接部が前記摺接面に接触し該弾性によって該駆動部材の作動を制動しその後は該斜面によって前記シャッタ地板側へ押され前記摺接面に対する前記摺接部の接触を解かれる弾性片とを備えていることを特徴とするカメラ用フォーカルプレンシャッタ。
【請求項３】
前記制動部材が、前記セット部材の回動軸に個別に回転し得るようにして取り付けられていることを特徴とする請求項１に記載のカメラ用フォーカルプレンシャッタ。
【請求項４】
前記制動部材が板ばね部材であることを特徴とする請求項１又は３に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、その二つの羽根群のスリット形成羽根によって形成されたスリットにより感光面の露光を行うようにしたカメラ用のフォーカルプレンシャッタに関する。
【０００２】
【従来の技術】
一般に、フォーカルプレンシャッタにおける先羽根群と後羽根群は、夫々、先羽根用駆動部材と後羽根用駆動部材によって作動され、また、それらの駆動部材は、通常、露光作動に際して、先羽根用駆動ばねと後羽根用駆動ばねの付勢力によって回転されるようになっている。更に、先羽根用駆動部材と後羽根用駆動部材は、撮影に際しては、露光作動開始位置に保持されており、露光制御回路が、先羽根用電磁石と後羽根用電磁石を所定の時間間隔で制御することによって、順に露光作動を開始されるようになっている。また、シャッタのセットは、フィルムの巻き上げに連動して、セット部材が、先羽根用駆動部材と後羽根用駆動部材を、先羽根用駆動ばねと後羽根用駆動ばねの付勢力に抗して、セット位置まで回転させるようにしている。
【０００３】
ところで、各駆動部材を、上記のように露光作動開始位置に保持しておくための構成として、係止タイプと称されているものと、ダイレクトタイプと称されているものが知られている。本発明は、それらのうち、ダイレクトタイプを採用したフォーカルプレンシャッタに関するものである。周知のように、そのダイレクトタイプの構成は、各駆動部材に鉄片部材を取り付けておき、露光作動の直前においては、各電磁石が、夫々の鉄片部材を吸着することによって、各駆動部材を露光作動開始位置に保持するようにしたものである。そのため、構成部品が少なく、シャッタユニットをコンパクト化し易いという特徴があるが、製作するに当たっては、いろいろな問題点がある。そのため、構成上で種々の対策手段が講じられている。
【０００４】
先ず、セット部材が二つの駆動部材をセットするとき、二つの鉄片部材を、二つの電磁石に全く同時に接触させるようにすることは、製作上困難である。そのため、鉄片部材は、駆動部材に固定されておらず、通常はばねを介在させて取り付けられている。そして、セット部材は、二つの鉄片部材を二つの電磁石に順に接触させた後、しばらくしてから停止されるようになっている。また、電磁石への通電は撮影の直前に行われるので、セット後、セット部材を直ちにセット前の位置（以下、初期位置という）へ復帰させてしまうわけにはいかない。そのため、次の撮影が行われるまで、セット部材をセット位置に留めておくようにしている。従って、このセット状態においては、二つの駆動部材は、露光作動開始位置にあるわけではなく、夫々の鉄片部材との間に介在させたばねを緊張させ、また、夫々の駆動ばねをオーバーチャージさせた位置で停止している。
【０００５】
そして、撮影に際しては、先ず、二つの電磁石に通電し、夫々の鉄片部材が吸着された後、セット部材を初期位置に復帰させるようにしているが、そのとき、二つの駆動部材は、夫々、オーバーチャージされている駆動ばねの付勢力と、鉄片部材との間に介在し上記のようにして緊張されているばねの付勢力との両方により、セット位置から僅かに回転され、電磁石に吸着されている鉄片部材によってその回転を阻止されることにより、露光作動開始位置で停止されるようになっている。そして、二つの駆動部材が露光作動開始位置で停止し、セット部材が初期位置に復帰した後、露光制御回路からの信号によって、二つの電磁石に対する通電が順に断たれ、各駆動部材が所定の時間間隔で露光作動を開始するようになっている。
【０００６】
しかるに、上記のようにして、夫々の駆動部材が、セット位置から露光作動開始位置まで回転したとき、鉄片部材に対して瞬間的に大きな衝撃力が作用する。そのため、電磁石の吸着力が、単に、露光作動開始位置において駆動ばねの付勢力に抗して駆動部材を保持しておけるだけの力に設定してあると、駆動部材は、露光作動開始位置で停止されず、露光制御回路からの信号を待たずに、直ちに露光作動を行ってしまうようになる。従って、上記のような衝撃力に確実に耐え得るようにするため、従来は電磁石に対して可成り大きな電力を供給し、大きな吸着力が得られるようにしていた。
【０００７】
しかしながら、最近のカメラにおいては電動化が著しく進んでおり、消費電力を如何に少なくするかが大きな課題となっている。そのため、ダイレクトタイプのフォーカルプレンシャッタにおいては、電磁石の消費電力を従来より少なくしても、上記のような事態の発生を確実に防止することのできる機構の実現が望まれている。そこで、これまでにも、その点についての幾つかの提案がなされているが、その主なものとしては、特開平９−３０４８０７号公報，特開平９−３０４８０８号公報，特開平１０−４８６９９号公報に記載されたものがある。
【０００８】
そのうち、特開平９−３０４８０７号公報に記載されているものは、駆動部材が露光作動開始位置で停止するまで、鉄片部材を電磁石に押し付けておくために、弾性部を有する押圧部材を設けておき、セット部材の初期位置への復帰作動に連動して、その押し付けを解くようにしたものである。また、特開平９−３０４８０８号公報に記載されているものは、押さえばねと称される部材を設け、駆動部材が露光作動開始位置で停止するまでの間、鉄片部材を電磁石に押し付けておくように作用させたものであって、その押さえばねは、駆動部材と鉄片部材の間に介在させている従来のばねを変形させて兼用するようにしたものである。更に、特開平１０−４８６９９号公報に記載されているものは、セット部材の初期位置への復帰作動に制動を与え、駆動部材が露光作動開始位置に達するまで、セット部材が駆動部材を抑止しているようにしたものである。
【０００９】
【発明が解決しようとする課題】
しかしながら、上記のうち、特開平９−３０４８０７号公報に記載されたものは、衝撃力を小さくするという考え方よりは、むしろ、衝撃力が生じてもそれによって鉄片部材が電磁石から離脱しないように、言わば電磁石の吸着力を補うという考え方に立つものである。しかも、その吸着力を補うために設けられた押圧部材を、駆動部材が露光作動を開始する前に、鉄片部材の離脱方向に逃がすようにしているため、先羽根用駆動部材と後羽根用駆動部材の両方に対してこのような構成を採用しようとすると、狭いスペース内に設置する構成としては、必ずしも有利ではない。
【００１０】
また、特開平９−３０４８０８号公報に記載されているものは、露光作動開始位置に達するまでの間、鉄片部材が押さえばねによって電磁石に押されているようにしたものである。従って、上記の特開平９−３０４８０７号公報に記載されたものと、考え方の基本は変わらない。但し、構成部品点数が少なく、狭いスペース内に設置する構成としては優れている。しかしながら、実施する場合には、押さえばねの形状が非常に複雑であって加工が難しく、また、その組み付け作業が可成り面倒になることから、製作上においては必ずしも好適な構成とはいえない。
【００１１】
更に、特開平１０−４８６９９号公報に記載されたものは、初期位置への復帰過程にあるセット部材が駆動部材を抑止していて、駆動部材を、露光作動開始位置に達するまで、ゆっくりと作動させるようにしたものであるから、衝撃力を小さくさせることが可能となり、また、先羽根用駆動部材と後羽根用駆動部材の両方の衝撃力を小さくさせるための構成として見るべきものがある。更に、セット部材の遅延機構が必要であるとはいうものの、比較的簡単な構成の遅延機構も開示されている。しかしながら、セット部材の復帰作動を、特別な遅延機構を設けて制動するものであるため、初期位置への復帰が従来よりも大幅に遅れることになり、シャッタチャンスを逸してしまうことがあるという機能上の問題点を生じさせてしまう。
【００１２】
本発明は、このような問題点を解決するためになされたものであって、その目的とするところは、設置スペースが小さくて済み、製作が容易であって、また他のシャッタ機能にも影響を及ぼすことのない実施上有利な構成によって、レリーズ時において露光作動開始位置に達するまで、駆動部材に直接制動力を与え、露光作動開始位置に達したときの衝撃力を小さくするようにしたダイレクトタイプのカメラ用フォーカルプレンシャッタを提供することである。
【００１３】
【課題を解決するための手段】
上記の目的を達成するために、請求項１に係る本発明のカメラ用フォーカルプレンシャッタは、通電時には夫々の鉄芯に吸着力を付与されている二つの電磁石と、シャッタ地板に回転可能に取り付けられておりレリーズ時に前記各電磁石への通電が断たれたとき夫々の駆動ばねの付勢力による露光作動開始位置からの作動によって先羽根群及び後羽根群に露光走行を行わせると共に少なくとも一方には前記シャッタ地板側に摺接面が形成されている先羽根用駆動部材及び後羽根用駆動部材と、前記各駆動部材に相対位置関係を変え得るようにして取り付けられ前記各鉄芯に吸着されているとき前記各駆動部材が前記露光作動開始位置に保持され得るようにした二つの鉄片部材と、前記各駆動部材と前記各鉄片部材の間に介在しセット時には前記各鉄片部材が前記各鉄芯に接触してから緊張されレリーズ時には前記駆動ばねの付勢力と共に自己の付勢力によって前記各駆動部材をセット位置から前記露光作動開始位置まで作動させる二つのばねと、前記シャッタ地板に回転可能に取り付けられておりセット時には初期位置から始動し前記各鉄片部材が前記各鉄芯に接触した後も前記各駆動ばねを緊張させて前記各駆動部材をセット位置へ作動させレリーズ時には初期位置への復帰過程において前記各駆動部材に前記露光作動開始位置への作動を可能にするセット部材と、弾性を有する少なくとも一つの腕部と該腕部の先端の前記摺接面側に設けられた摺接部とを有していて前記シャッタ地板に回転可能に取り付けられておりセット時においてはばねの付勢力により前記セット部材の作動に追従して該摺接部が前記摺接面に接触し得る所定の位置まで回転しレリーズ時においては前記駆動部材が露光作動開始位置に達するまでは該所定の位置で該摺接部が該摺接面に接触して該腕部の弾性によって該駆動部材の作動を制動しその後は該ばねの付勢力に抗して前記セット部材によって回転され前記摺接面に対する該摺接部の接触を解かれる制動部材とを備えているようにする。
また、上記の目的を達成するために、請求項２に係る本発明のカメラ用フォーカルプレンシャッタは、通電時には夫々の鉄芯に吸着力を付与されている二つの電磁石と、シャッタ地板に回転可能に取り付けられておりレリーズ時に前記各電磁石への通電が断たれたとき夫々の駆動ばねの付勢力による露光作動開始位置からの作動によって先羽根群及び後羽根群に露光走行を行わせると共に少なくとも一方には前記シャッタ地板側に摺接面が形成されている先羽根用駆動部材及び後羽根用駆動部材と、前記各駆動部材に相対位置関係を変え得るようにして取り付けられ前記各鉄芯に吸着されているとき前記各駆動部材が前記露光作動開始位置に保持され得るようにした二つの鉄片部材と、前記各駆動部材と前記各鉄片部材の間に介在しセット時には前記各鉄片部材が前記各鉄芯に接触してから緊張されレリーズ時には前記駆動ばねの付勢力と共に自己の付勢力によって前記各駆動部材をセット位置から前記露光作動開始位置まで作動させる二つのばねと、前記シャッタ地板に回転可能に取り付けられていてその回転方向に沿って斜面を有する突起部が設けられておりセット時には初期位置から始動し前記各鉄片部材が前記各鉄芯に接触した後も前記各駆動ばねを緊張させて前記各駆動部材をセット位置へ作動させレリーズ時には初期位置への復帰過程において前記各駆動部材に前記露光作動開始位置への作動を可能にするセット部材と、前記シャッタ地板に一体成形によって形成されていて弾性を有する少なくとも一つの腕部と該腕部の先端の前記摺接面側に設けられた摺接部とを有しておりセット時においては自己の弾性により前記セット部材の作動に追従して前記摺接部が前記摺接面に接触し得る所定の位置まで前記シャッタ地板から離れる方向へ移動しレリーズ時においては前記駆動部材が露光作動開始位置に達するまでは該所定の位置で前記摺接部が前記摺接面に接触し該弾性によって該駆動部材の作動を制動しその後は該斜面によって前記シャッタ地板側へ押され前記摺接面に対する前記摺接部の接触を解かれる弾性片とを備えているようにする。
また、請求項１に係る本発明のカメラ用フォーカルプレンシャッタにおいては、前記制動部材が、前記セット部材の回動軸に個別に回転し得るようにして取り付けられているようにすると、制動力の調整が容易となり、且つ一つの制動手段によって二つの駆動部材を制動するように構成する場合に有利となる。
更に、請求項１及び請求項３に係る本発明のカメラ用フォーカルプレンシャッタにおいては、前記制動部材が板ばね部材であるようにすると、耐久性に優れたものとなる。
【００１４】
【発明の実施の形態】
本発明の実施の形態を、図１〜図５に示した第１実施例と、図６〜図９に示した第２実施例によって説明する。また、本発明の要部に関係する構成以外の構成については、二つの実施例とも全く同じであるため、第２実施例については、図１に示したような全体の構成を示していない。また、第２実施例の図６〜図９においては、第１実施例に示した部材，部位と実質的に同じものに、同じ符号を用いている。
【００１５】
〔第１実施例〕
最初に、図１〜図５を用いて第１実施例を説明する。尚、図１は本実施例の全体の構成を示した分解斜視図である。また、図２〜図５は本実施例の要部だけを示したものであって、図２は露光作動終了直後の状態を示した平面図である。また、図３はセット状態を示した平面図であって、図４はその状態における断面図である。そして、図５は各駆動部材が露光作動開始位置にある状態を示した平面図である。
【００１６】
先ず、図１及び図４を用いて本実施例の構成を説明するが、説明中において表面側とは、本実施例のシャッタがカメラに組み込まれたとき被写体側となる面、即ち図１においては斜め上方を向いている面であり、図４においては左側となる面のことをいうことにする。図１においては、シャッタ地板１は左側の約半分だけが示されているが、その略中央部には長方形をした開口部１ａが形成されていている。また、このシャッタ地板１の背面側には、所定の間隔を空けて、中間板２と補助地板３とが順に取り付けられ、シャッタ地板１と中間板２との間を先羽根群４の羽根室とし、中間板２と補助地板３との間を後羽根群５の羽根室としている。また、中間板２と補助地板３にも、略中央部に、開口部２ａ，３ａが形成されており、三つの開口部１ａ，２ａ，３ａを重ね合わせることにより、略長方形をした横長の露光開口が形成されるようになっている。
【００１７】
また、中間板２と補助地板３の間に配置されている後羽根群用の羽根押さえ板６は、周知のように、後羽根群５の４枚の羽根の先端部を中間板２との間で挟み、各羽根の作動を安定化させるためのものである。図示を省略したが、同じ目的のために、シャッタ地板１と中間板２の間にも、先羽根群用の羽根押さえ板が配置されている。また、シャッタ地板１に対するこれらの板部材の取り付け方は、中間板２と羽根押さえ板６の場合には、もう一つの羽根押さえ板をも含め、夫々それらに形成されている二つの孔を、シャッタ地板１に設けられた図示していない二つの軸に嵌合させるだけである。そして、補助地板３の場合には、鍵孔状をした二つの孔を、上記した二つの軸に嵌合させてから左にずらすことによって、それらの軸からの抜けを防止し、シャッタ地板１に設けられた軸１ｂの先端に、ビス７によって取り付けられる。
【００１８】
シャッタ地板１には、円弧状をした二つの大きな長孔１ｃ，１ｄと、小さな長孔１ｅが形成されている。このうち、長孔１ｃ，１ｄの上方の端面には、周知のようにして緩衝部材が取り付けられているが、図面を見やすくするために、その図示を省略してある。また、このシャッタ地板１には、軸１ｆ，１ｇ，１ｈとストッパピン１ｉが立設されている。そのうち、軸１ｈとストッパピン１ｉは表面側にのみ立設されているが、軸１ｆ，１ｇは背面側の羽根室内にも伸長している。また、図示していないが、シャッタ地板１の背面側には、軸１ｆ，１ｇの間にもう二つの軸が立設されている。
【００１９】
本実施例の先羽根群４は、二つのアーム４ａ，４ｂと、それらに枢支された４枚の羽根で構成されており、シャッタ地板１の背面側において、アーム４ａは軸１ｆに枢着され、アーム４ｂは上記した図示していない軸の一方に枢着されている。同様に、後羽根群５は、二つのアーム５ａ，５ｂと、それらに枢支された４枚の羽根で構成されており、シャッタ地板１の背面側において、アーム５ａは軸１ｇに枢着され、アーム５ｂは上記した図示していない軸の他方に枢着されている。また、先羽根群４と後羽根群５とでは、アームと羽根の重なり関係が逆になっており、先羽根群４はアーム４ａ，４ｂがシャッタ地板１側になっているが、後羽根群５はアーム５ａ，５ｂが補助地板３側になっている。そして、図１においては、先羽根群４の羽根が重畳状態であって後羽根群５の羽根が展開状態となっているので、この状態は露光作動終了直後の状態ということになる。
【００２０】
シャッタ地板１の表面側において、軸１ｆ，１ｇの先端部には、支持板８とプリント配線板９が重ねて取り付けられている。そして、その取り付け方は、支持板８とプリント配線板９に形成されている孔を、軸１ｆ，１ｇの先端部に嵌合させ、軸１ｆ，１ｇの先端面に開口しているねじ孔にビス１０，１１を螺合させることによって止めている。また、軸１ｈの先端部もプリント配線板９の孔に嵌合させているが、ビス止めはされていない。
【００２１】
そして、支持板８には、折曲加工によって二つの爪部８ａ，８ｂが形成されており、シャッタ地板１側には、先羽根用電磁石１２と後羽根用電磁石１３を取り付けている。しかし、その取り付け方は、特開平９−１３３９４４号公報で公知であり、且つ本発明とは直接関係がないので、詳しい説明を省略する。各電磁石１２，１３は、夫々Ｕ字形をした鉄芯１２ａ，１３ａ（図４参照）と、二つの磁極部の一方に嵌装されたコイル１２ｂ，１３ｂを有していて、コイル１２ｂ，１３ｂの各々の二つの端子はプリント配線板９のスルーホールに挿入され、はんだ付けされている。
【００２２】
シャッタ地板１の表面側において、軸１ｆには、合成樹脂製の先羽根用駆動部材１４と、ラチェット車１５とが、回転可能に取り付けられている。そして、先羽根用駆動部材１４には、軸１ｆに嵌合する筒部１４ａのほか、駆動ピン１４ｂ，取付部１４ｃ，被押動部１４ｄ，摺接面１４ｅが形成されている。また、ラチェット車１５は、その周面に形成されている歯部に、上記した爪部８ａが係合し、一方方向への回転を阻止されるようになっている。更に、先羽根用駆動ばね１６が、筒部１４ａに嵌装されており、その一端を取付部１４ｃに掛け、他端をラチェット車１５に掛けて、先羽根用駆動部材１４を、被写体側から見て反時計方向へ回転させるように付勢している。そして、その付勢力は、ラチェット車１５と爪部８ａの係合位置を変えることによって調整できるようになっている。
【００２３】
先羽根用駆動部材１４の駆動ピン１４ｂは、断面形状が円形であるが、根元部よりも先端部の方が直径が小さく、その先端部を、先羽根群４のアーム４ａに形成された長孔に嵌合させている。従って、図１においては、アーム４ａ，４ｂに枢支された４枚の羽根が重畳状態となって、開口部１ａの上方位置に格納されていることになるが、先羽根用駆動部材１４が被写体側から見て時計方向へ回転し、その駆動ピン１４ｂによってアーム４ａが同じく時計方向へ回転された場合には、４枚の羽根は、相互の重なりを少なくしつつ左下方へ作動し、展開状態となって開口部１ａを覆うようになっている。また、その後、露光作動時に、先羽根用駆動部材１４が反時計方向へ回転された場合には、上記とは反対に、アーム４ａが同方向に回転され、図１の状態に戻るようになっている。
【００２４】
また、先羽根用駆動部材１４の表面側に隆起させて形成した取付部１４ｃには、鉄片部材１７が取り付けられている。図４の断面図から分かるように、この鉄片部材１７は、鉄片部１７ａ，軸部１７ｂ，頭部１７ｃから構成されている。そして、取付部１４ｃに形成された孔に嵌合されている軸部１７ｂが、軸方向に移動することによって、取付部１４ｃに対して相対位置を変え得るようになっている。また、取付部１４ｃの内部において、取付部１４ｃと鉄片部１７ａとの間に圧縮ばね１８を介在させており、その付勢力は、頭部１７ｃを取付部１４ｃに接触させ、鉄片部１７ａを取付部１４ｃの外部へ押し出すように働いている。そして、鉄片部１７ａは、外部へ押し出されている面を、上記した鉄芯１２ａに対する被吸着面としている。
【００２５】
次に、シャッタ地板１の表面側において、軸１ｇに取り付けられている部材の構成を説明するが、その構成は、軸１ｆに取り付けられている部材の構成と実質的に同じである。従って、上記の場合よりも簡略化して説明する。合成樹脂製の後羽根用駆動部材１９には、軸１ｇに回転可能に嵌合する筒部１９ａのほか、駆動ピン１９ｂ，取付部１９ｃ，被押動部１９ｄ，摺接面１９ｅが形成されている。また、軸１ｇに回転可能に嵌合しているラチェット車２０は、その周面に形成された歯部を爪部８ｂに係合させている。後羽根用駆動ばね２１は、取付部１９ｃとラチェット車２０の間に掛けられていて、後羽根用駆動部材１９を、被写体側から見て反時計方向へ回転させるように付勢しており、その付勢力は、ラチェット車２０を回転操作することによって調整できるようになっている。
【００２６】
後羽根用駆動部材１９の駆動ピン１９ｂは、上記した駆動ピン１４ｂと同じ形状をしていて、その先端部を、後羽根群５のアーム５ａに形成された長孔に嵌合させている。従って、図１においては、４枚の羽根が展開状態となって、開口部１ａを覆っているが、後羽根用駆動部材１９が被写体側から見て時計方向へ回転すると、駆動ピン１９ｂによってアーム５ａも同じ方向へ回転され、４枚の羽根は、相互の重なりを大きくしつつ左下方へ作動し、重畳状態となって開口部１ａの下方位置に格納されるようになっている。また、その後、露光作動時に、後羽根用駆動部材１９が反時計方向へ回転された場合には、図１に示した展開状態に戻るようになっている。
【００２７】
また、後羽根用駆動部材１９の取付部１９ｃには、鉄片部材２２が取り付けられている。図４から分かるように、この鉄片部材２２は、鉄片部２２ａ，軸部２２ｂ，頭部２２ｃから構成され、軸部２２ｂが、軸方向に移動することによって、取付部１９ｃに対して相対位置を変え得るようになっている。また、取付部１９ｃの内部には、取付部１９ｃと鉄片部２２ａとの間に、圧縮ばね２３を介在させており、鉄片部２２ａを取付部１９ｃの外部へ押し出すように付勢させている。そして、鉄片部２２ａは、外部へ押し出されている面を、鉄芯１３ａに対する被吸着面としている。
【００２８】
次に、シャッタ地板１の軸１ｈには、シャッタ地板１側から制動部材２４とセット部材２５とが、個別に回転し得るようにして取り付けられている。このうち、制動部材２４は、図示していないばねによって、図１において反時計方向へ回転するように付勢されており、その回転をストッパピン１ｉによって阻止されるようになっている。また、この制動部材２４は、図４に示すようにワッシャ２６と重ねて軸１ｈに取り付けられており、二つの腕部２４ａ，２４ｂは弾性を有し、図４において左右方向へ撓み得るようになっている。そして、各腕部２４ａ，２４ｂの先端には半球状の摺接部２４ａ1 ，２４ｂ1 が設けられていて、各駆動部材１４，１９の摺接面１４ｅ，１９ｅに接し得るようになっている。
【００２９】
また、セット部材２５は合成樹脂製であって、軸１ｈに回転可能に嵌合する筒部２５ａのほか、押動部２５ｂ，２５ｃ、被押動部２５ｄが形成されており、また、被押動部２５ｄの背面側にはピン２５ｅが、押動部２５ｂの背面側にはピン２５ｆ（図４参照）が形成されている。そして、押動部２５ｂは先羽根用駆動部材１４の被押動部１４ｄを押す部位であり、押動部２５ｃは後羽根用駆動部材１９の被押動部１９ｄを押す部位である。また、被押動部２５ｄは、図示していないカメラ本体側の部材によって押される部位であり、ピン２５ｆは、制動部材２４の腕部２４ａを押す部位である。更に、このセット部材２５は、ばね２７によって、図１において時計方向へ回転するように付勢されているが、その回転は、ピン２５ｅが長孔１ｅの下方の端面に当接することによって停止されるようになっている。以下、セット部材２５については、この停止位置を、初期位置ということにする。
【００３０】
次に、本実施例の作動を図１〜図５を用いて説明する。図１は露光作動終了直後の状態を示しているが、この状態においては、上記したように、先羽根群４の４枚の羽根は重畳状態となって開口部１ａの上方位置に格納され、後羽根群５の４枚の羽根は展開状態となって開口部１ａを覆っている。そして、この状態における要部の構成が図２に示されている。この図２から分かるように、この状態においては、セット部材２５は初期位置にあり、ピン２５ｆが腕部２４ａを押し、制動部材２４を、図示していないばねの付勢力に抗して、時計方向へ回転させている。
【００３１】
また、二つの鉄片部材１７，２２は、鉄片部１７ａ，２２ａが鉄芯１２ａ，１３ａから離れているため、圧縮ばね１８，２３の付勢力によって、頭部１７ｃ，２２ｃが取付部１４ｃ，１９ｃに接触した状態にある。また、このとき、各駆動部材１４，１９の駆動ピン１４ｂ，１９ｂは、図１に示した長孔１ｃ，１ｄの上端部に取り付けられている図示していない緩衝部材に当接している。尚、図１においては、各駆動部材１４，１９の全体形状を分かり易くするために、各駆動部材１４，１９を、実際よりも時計方向へ回転させた姿勢状態で示している。
【００３２】
このような図１及び図２に示した状態からセット作動が行われるが、そのセット作動は、セット部材２５を初期位置から反時計方向へ回転させることによって行われる。即ち、図２において、図示していないカメラ本体側の部材が被押動部２５ｄを押し、ばね２７（図１参照）の付勢力に抗してセット部材２５を反時計方向へ回転させると、制動部材２４が、図示していないばねの付勢力によって追従し、腕部２４ｂがストッパピン１ｉに当接するまで反時計方向へ回転される。
【００３３】
他方、セット部材２５は、押動部２５ｂによって先羽根用駆動部材１４の被押動部１４ｄを押し、先羽根用駆動部材１４を、先羽根用駆動ばね１６の付勢力に抗して時計方向へ回転させる。それによって、先羽根群４の４枚の羽根が展開されていくが、そのスリット形成羽根と、後羽根群５のスリット形成羽根との重なりが所定量に達すると、セット部材２５の押動部２５ｃが後羽根用駆動部材１９の被押動部１９ｄを押し始めることになる。そのため、その後は、後羽根用駆動部材１９も、後羽根用駆動ばね２１の付勢力に抗して時計方向へ回転され、後羽根群５の４枚の羽根が重畳されていくことになる。
【００３４】
その後、しばらくしてから、先羽根用駆動部材１４は、その摺接面１４ｅが制動部材２４の摺接部２４ａ1 を押し、腕部２４ａを撓ませ、後羽根用駆動部材１９は、その摺接面１９ｅが制動部材２４の摺接部２４ｂ1 を押し、腕部２４ｂを撓ませるようになる。そして、先羽根群４の４枚の羽根が開口部１ａを覆った状態になると、先ず、先羽根用駆動部材１４に取り付けられている鉄片部材１７の鉄片部１７ａが鉄芯１２ａに接触し、以後、先羽根用駆動部材１４は、圧縮ばね１８を緊張させていくことになる。従って、先羽根用駆動ばね１６については、以後、オーバーチャージされていくことになる。
【００３５】
このように、先羽根用駆動ばね１６がオーバーチャージ状態となった直後に、今度は後羽根用駆動部材１９に取り付けられている鉄片部材２２の鉄片部２２ａが鉄芯１３ａに接触し、その瞬間から、後羽根用駆動部材１９は圧縮ばね２３を緊張させ、且つ後羽根用駆動ばね２１をオーバーチャージさせていく。そして、セット部材２５の回転が停止し、セットの完了した状態が図３及び図４に示されている。このセット状態においては、圧縮ばね１８，２３が緊張されているので、鉄片部材１７，２２の鉄片部１７ａ，２２ａは取付部１４ｃ，１９ｃ内に押し込まれ、頭部１７ｃ，２２ｃは取付部１４ｃ，１９ｃから離れ、軸部１７ｂ，２２ｂの一部が取付部１４ｃ，１９ｃ内から露出されている。
【００３６】
次に、露光作動について説明する。撮影に際して、カメラのレリーズボタンが押されると、先ず、二つの電磁石１２，１３のコイル１２ｂ，１３ｂに通電され、各駆動部材１４，１９に取り付けられた鉄片部材１７，２２の鉄片部１７ａ，２２ａが、鉄芯１２ａ，１３ａに吸着される。その後、図示していないカメラ本体側の部材がセット部材２５の被押動部２５ｄから退いていくので、セット部材２５は、それに追従し、ばね２７の付勢力によって時計方向へ回転され、初期位置への復帰作動を開始する。そして、その復帰作動の初期段階においては、各駆動部材１４，１９は、各駆動ばね１６，２１の付勢力と、緊張されている圧縮ばね１８，２３の付勢力によって、取付部１４ｃ，１９ｃが鉄片部材１７，２２の頭部１７ｃ，２２ｃに当接し停止されるまで、反時計方向に回転されていく。そして、その停止した位置が、各駆動部材１４，１９の露光作動開始位置ということになる。
【００３７】
ところで、上記のようにして各駆動部材１４，１９がセット位置から露光作動開始位置に達したとき、取付部１４ｃ，１９ｃが鉄片部材１７，２２の頭部１７ｃ，２２ｃに当接するので、その強い衝撃力によって、鉄片部１７ａ，２２ａが鉄芯１２ａ，１３ａから離脱してしまうことがある。そこで、従来は、鉄片部材１７，２２を単に吸着保持しておくだけに必要な電力を供給するだけでは足りず、そのような衝撃力にも耐え得るようにするために、可成り大きな電力を各電磁石１２，１３のコイル１２ｂ，１３ｂへ供給していた。
【００３８】
ところが、本実施例においては、各駆動部材１４，１９がセット位置から露光作動開始位置に達するまで、それらの摺接面１４ｅ，１９ｅに、制動部材２４の摺接部２４ａ1 ，２４ｂ1 が常に接触しているから、腕部２４ａ，２４ｂの弾性による摩擦抵抗力が生じ、各駆動部材１４，１９の作動が制動されることになる。そのため、上記の衝撃力は可成り小さいものとなる。従って、本実施例の構成によれば、各電磁石１２，１３への供給電力を従来のように大きくしなくても、各駆動部材１４，１９を露光作動開始位置で確実に停止させることが可能になる。尚、本実施例の制動部材２４は、材質を問わないが、安定した性能が得られ、且つ弾性力の調整が行い易いという点では、金属製の板ばねを採用するのが好ましい。
【００３９】
このようにして、各駆動部材１４，１９が露光作動開始位置で確実に停止された後、セット部材２５は、なおも時計方向へ回転するが、その復帰作動の最終段階になると、ピン２５ｆが腕部２４ａを押し、制動部材２４を、図示していないばねの付勢力に抗して時計方向へ回転させる。そのため、制動部材２４の摺接部２４ａ1 ，２４ｂ1 が、各駆動部材１４，１９の摺接面１４ｅ，１９ｅから離れ、各駆動部材１４，１９は制動部材２４によって制動されることのない状態になる。このような過程を経て、セット部材２５が初期位置に復帰した状態が図５に示されている。
【００４０】
その後、先ず、先羽根用電磁石１２のコイル１２ｂへの通電が断たれると、先羽根用駆動部材１４は、先羽根用駆動ばね１６の付勢力によって、反時計方向へ急速に回転させられる。そのため、先羽根用駆動部材１４は、その駆動ピン１４ｂにより、アーム４ａを反時計方向へ回転させ、先羽根群４の４枚の羽根を重畳させつつ図１において右上方へ走行させていくが、その先羽根用駆動部材１４の回転は、駆動ピン１４ｂが、長孔１ｃの上端面に取り付けられた図示していない緩衝部材に当接することによって停止する。そして、そのときには、先羽根群４の４枚の羽根は、重畳状態となり、開口部１ａの上方位置に格納された状態となる。
【００４１】
他方、先羽根群４の露光走行が開始されてから所定時間が経過すると、今度は、後羽根用電磁石１３のコイル１３ｂへの通電が断たれ、後羽根用駆動部材１９が、後羽根用駆動ばね２１の付勢力によって、反時計方向へ急速に回転させられる。そのため、後羽根用駆動部材１９は、駆動ピン１９ｂによってアーム５ａを反時計方向へ回転させ、後羽根群５の４枚の羽根を展開させつつ図１において右上方へ走行させるが、その後羽根用駆動部材１９の回転は、駆動ピン１９ｂが、長孔１ｄの上端面に取り付けられた図示していない緩衝部材に当接することによって停止する。そして、そのときには、後羽根群５の４枚の羽根は、展開状態となり、開口部１ａを完全に覆っており、図１及び図２に示された状態に復帰したことになる。
【００４２】
尚、本実施例においては、制動部材２４を、セット部材２５と同じ軸１ｈに取り付けているが、異なる軸に取り付けるようにしても差し支えない。また、本実施例においては、一つの制動部材２４によって、二つの駆動部材１４，１９を制動しているが、制動部材２４を二つに分け、二つの駆動部材１４，１９を個々に制動するようにしても差し支えない。また、駆動部材１４，１９の一方だけを制動するようにしても差し支えない。更に、本実施例においては、セット部材２５が、その初期位置へ復帰する直前に、制動部材２４を駆動部材１４，１９から逃がすようにしているが、セット部材２５を操作するための上記した図示していないカメラ本体側の部材、又はその部材に連動する他の部材によって逃がすようにしても差し支えない。
【００４３】
〔第２実施例〕
次に、図６〜図９を用いて第２実施例を説明する。図６は露光作動終了直後の状態を示した平面図であり、図７はセット状態を示した平面図である。また、図８はセット状態における断面図であり、図９は各駆動部材が露光作動開始位置にある状態を示した平面図である。尚、各図は本実施例の要部だけを示したものであって、全体構成については示していないが、これらの図面に示していない構成については、第１実施例の説明に用いた図１に準じるものとする。
【００４４】
先ず、本実施例の構成を図７及び図８を用いて説明するが、本実施例の場合には、セット部材２５の形状が、第１実施例の場合と一部異なっており、また、第１実施例における制動部材２４を設けずに、別の制動手段を設けている。従って、それらの異なっている構成についてのみ説明することとし、第１実施例の場合と全く同じ部材，部位については、同じ符号を付け、説明を省略する。
【００４５】
本実施例におけるシャッタ地板１は合成樹脂製であって、軸１ｈは一体的に成形されている。セット部材２５には、第１実施例の場合と同様に、軸１ｈに回転可能に嵌合させた筒部２５ａのほか、押動部２５ｂ，２５ｃ、被押動部２５ｄが形成されている。また、被押動部２５ｄの背面側にはピン２５ｅが形成されているが、図４に示されていたようなピン２５ｆは形成されていない。その代わり、セット部材２５の背面側には、二つの突起部２５ｇ，２５ｈが形成されている。そして、それらの突起部２５ｇ，２５ｈの先端面には、夫々図７において断面を示したように、セット部材２５の回転方向に沿って斜面２５ｇ1 ，２５ｈ1 が形成されている。
【００４６】
上記したように、シャッタ地板１は合成樹脂製であって、成形加工のために必要な孔１ｊ，１ｋを設けて、腕部１ｍ，１ｎを一体的に成形している。図８に示すように、これらの二つの腕部１ｍ，１ｎは折曲形状をしていて弾性を有しており、図８において左右方向へ撓み得るようになっている。そして、各腕部１ｍ，１ｎの先端には半球状の摺接部１ｍ1 ，１ｎ1 が設けられていて、各駆動部材１４，１９の摺接面１４ｅ，１９ｅに接し得るようになっている。また、本実施例においては、第１実施例のように、シャッタ地板１にストッパピン１ｉが設けられていない。その他の構成は、第１実施例の場合と全く同じである。
【００４７】
次に、図６〜図９を用いて本実施例の作動を説明するが、第１実施例の場合と共通するところについては、重複を避けるため、一部省略したり簡略化したりして説明する。図６は露光作動終了直後の状態を示している。この状態においては、先羽根群４の４枚の羽根は重畳状態となっており、後羽根群５の４枚の羽根が展開状態となって開口部１ａを覆っている。また、セット部材２５は初期位置にあり、突起部２５ｇ，２５ｈが斜面２５ｇ1 ，２５ｈ1 によって腕部１ｍ，１ｎをシャッタ地板１の表面方向に撓ませている。
【００４８】
このような図６の状態からセット作動が行われる。図示していないカメラ本体側の部材が被押動部２５ｄを押し、ばね２７（図１参照）の付勢力に抗してセット部材２５を反時計方向へ回転させると、突起部２５ｇ，２５ｈが移動するから、腕部１ｍ，１ｎは、自己の弾性によって、図８に一点鎖線で示した状態に復帰する。他方、セット部材２５は、押動部２５ｂによって先羽根用駆動部材１４の被押動部１４ｄを押し、先羽根用駆動部材１４を、先羽根用駆動ばね１６（図１参照）の付勢力に抗して時計方向へ回転させ、続いて、押動部２５ｃが後羽根用駆動部材１９の被押動部１９ｄを押し、後羽根用駆動部材１９を、後羽根用駆動ばね２１（図１参照）の付勢力に抗して時計方向へ回転させる。そのため、先羽根群４の４枚の羽根（図１参照）は展開されてゆき、後羽根群５の４枚の羽根（図１参照）は重畳されていく。
【００４９】
その後、先羽根用駆動部材１４は、その摺接面１４ｅが摺接部１ｍ1 を押して、腕部１ｍを撓ませ、後羽根用駆動部材１９は、その摺接面１９ｅが摺接部１ｎ1 を押して、腕部１ｎを撓ませる。そして、先羽根群４の４枚の羽根が開口部１ａを覆った状態になると、先ず、先羽根用駆動部材１４が、鉄片部材１７の鉄片部１７ａを鉄芯１２ａに接触させ、圧縮ばね１８を緊張させていく。その直後に、今度は後羽根用駆動部材１９が、鉄片部材２２の鉄片部２２ａを鉄芯１３ａに接触させ、圧縮ばね２３を緊張させていく。その後、セット部材２５の回転が停止し、セット作動の完了した状態が、図７及び図８に示された状態である。そして、このセット状態においては、各駆動ばね１６，２１はオーバーチャージ状態になっており、鉄片部材１７，２２の頭部１７ｃ，２２ｃは、取付部１４ｃ，１９ｃから離れている。
【００５０】
次に、撮影に際して、カメラのレリーズボタンが押されると、先ず、二つの電磁石１２，１３のコイル１２ｂ，１３ｂ（図１参照）に通電され、鉄片部材１７，２２の鉄片部１７ａ，２２ａが、鉄芯１２ａ，１３ａに吸着される。その後、図示していないカメラ本体側の部材に追従して、セット部材２５が、ばね２７（図１参照）の付勢力によって時計方向へ回転され、初期位置への復帰作動を行うが、その初期段階においては、各駆動部材１４，１９が、各駆動ばね１６，２１の付勢力と各圧縮ばね１８，２３の付勢力によって、取付部１４ｃ，１９ｃが鉄片部材１７，２２の頭部１７ｃ，２２ｃに当接するまで、即ち露光作動開始位置に達するまで追従していく。
【００５１】
本実施例においては、このようにして、各駆動部材１４，１９が露光作動開始位置に達するまで、それらの摺接面１４ｅ，１９ｅに、腕部１ｍ，１ｎの摺接部１ｍ1 ，１ｎ1 が常に接触しているから、腕部１ｍ，１ｎの弾性による摩擦抵抗力によって、各駆動部材１４，１９の作動が制動されることになる。そのため、取付部１４ｃ，１９ｃが鉄片部材１７，２２の頭部１７ｃ，２２ｃに当接するときの衝撃力は可成り小さいものとなる。従って、本実施例の場合にも、従来のように各電磁石１２，１３への供給電力を大きくすることなく、各駆動部材１４，１９を露光作動開始位置で確実に停止させることができる。
【００５２】
このようにして、各駆動部材１４，１９が露光作動開始位置で停止された後、セット部材２５は、なおも時計方向へ回転するが、その復帰作動の最終段階になると、突起部２５ｇ，２５ｈが、それらの斜面２５ｇ1 ，２５ｈ1 で腕部１ｍ，１ｎを押してゆき、摺接部１ｍ1 ，１ｎ1 を、各駆動部材１４，１９の摺接面１４ｅ，１９ｅから離すことになる。このようにして、セット部材２５が初期位置に復帰した状態が、図９に示された状態である。
【００５３】
その後は、先ず、先羽根用電磁石１２のコイル１２ｂへの通電が断たれ、次に、後羽根用電磁石１３のコイル１３ｂへの通電が断たれることによって、各駆動部材１４，１９が、各駆動ばね１６，２１の付勢力によって順次回転され、先羽根群４と後羽根群５を露光走行させることになるが、その作動説明は、第１実施例の場合と全く同じであるので省略する。そして、その作動が終了したときの状態が、図６に示された状態ということになる。尚、本実施例においては、二つの腕部１ｍ，１ｎを形成しているが、本発明は、どちらか一方だけにすることを妨げるものではない。また、第１実施例の場合と同様に、腕部１ｍ，１ｎの変形を、セット部材２５によって行わせるものに限定されるものではない。
【００５４】
【発明の効果】
上記のように、本発明は、ダイレクトタイプのカメラ用フォーカルプレンシャッタにおいて、駆動部材が、セット位置から作動して露光作動開始位置で停止するまで、弾性を有する制動手段との間に生ずる摩擦抵抗力によって制動されるので、駆動部材が露光作動開始位置に達したときの衝撃力を小さくすることができ、電磁石に対する供給電力を従来のように大きくしなくても、駆動部材を露光作動開始位置で確実に保持させることが可能になる。
【図面の簡単な説明】
【図１】第１実施例の構成を示す分解斜視図である。
【図２】露光作動終了直後の状態を示した第１実施例の要部平面図である。
【図３】セット状態を示した第１実施例の要部平面図である。
【図４】セット状態における第１実施例の要部断面図である。
【図５】各駆動部材が露光作動開始位置にある状態を示した第１実施例の要部平面図である。
【図６】露光作動終了直後の状態を示した第２実施例の要部平面図である。
【図７】セット状態を示した第２実施例の要部平面図である。
【図８】セット状態における第２実施例の要部断面図である。
【図９】各駆動部材が露光作動開始位置にある状態を示した第２実施例の要部平面図である。
【符号の説明】
１                          シャッタ地板
１ａ，２ａ，３ａ            開口部
１ｂ，１ｆ，１ｇ，１ｈ      軸
１ｃ，１ｄ，１ｅ            長孔
１ｉ                        ストッパピン
１ｊ，１ｋ                  孔
１ｍ，１ｎ，２４ａ，２４ｂ  腕部
１ｍ1 ，１ｎ1 ，２４ａ1 ，２４ｂ1   摺接部
２                          中間板
３                          補助地板
４                          先羽根群
４ａ，４ｂ，５ａ，５ｂ      アーム
５                          後羽根群
６                          羽根押さえ板
７，１０，１１              ビス
８                          支持板
８ａ，８ｂ                  爪部
９                          プリント配線板
１２                        先羽根用電磁石
１２ａ，１３ａ              鉄芯
１２ｂ，１３ｂ              コイル
１３                        後羽根用電磁石
１４                        先羽根用駆動部材
１４ａ，１９ａ，２５ａ      筒部
１４ｂ，１９ｂ              駆動ピン
１４ｃ，１９ｃ              取付部
１４ｄ，１９ｄ，２５ｄ      被押動部
１４ｅ，１９ｅ              摺接面
１５，２０                  ラチェット車
１６                        先羽根用駆動ばね
１７，２２                  鉄片部材
１７ａ，２２ａ              鉄片部
１７ｂ，２２ｂ              軸部
１７ｃ，２２ｃ              頭部
１８，２３                  圧縮ばね
１９                        後羽根用駆動部材
２１                        後羽根用駆動ばね
２４                        制動部材
２５                        セット部材
２５ｂ，２５ｃ              押動部
２５ｅ，２５ｆ              ピン
２５ｇ，２５ｈ              突起部
２５ｇ1 ，２５ｈ1           斜面
２６                        ワッシャ
２７                        ばね
【図１】
0004077562.tif 000002
【図２】
0004077562.tif 000003
【図３】
0004077562.tif 000004
【図４】
0004077562.tif 000005
【図５】
0004077562.tif 000006
【図６】
0004077562.tif 000007
【図７】
0004077562.tif 000008
【図８】
0004077562.tif 000009
【図９】
0004077562.tif 000010